(57)【要約】  【課題】  許容遅延時間が異なるフレームに対して、遅延時間を保証し割込み回数を低減すること。  【解決手段】  受信フレーム許容遅延時間判定部２０と、待ち時間計測部２１と、割込み生成部２２とを有し、受信フレームのヘッダ情報もしくはペイロード情報よりフレームの許容遅延時間を判定し、待ち時間が許容遅延時間に到達すると割込みを生成することにより、受信フレームの許容遅延時間がフレームにより異なる場合、フレームの許容遅延時間毎に割込み待ち時間を計測し、フレームの許容遅延時間まで割込み出力を待つこととなるので、割込み頻度が低減される。【選択図】  図２
2005322032.tif 000002
【特許請求の範囲】
【請求項１】
受信フレームの許容遅延時間を判定する受信フレーム許容遅延時間判定手段と、受信フレームの待ち時間を計測する待ち時間計測手段と、前記待ち時間が前記許容遅延時間に到達すると割込みを生成する割込み生成手段とを備えた受信フレーム処理装置。
【請求項２】
前記待ち時間計測手段が、複数の待ち時間を計測することを特徴とする請求項１に記載の受信フレーム処理装置。
【請求項３】
前記待ち時間計測手段が、複数の待ち時間を受信フレームの許容遅延時間と対応付けることを特徴とする請求項２に記載の受信フレーム処理装置。
【請求項４】
前記割込み生成手段が、いずれかの待ち時間が許容遅延時間に到達すると割込みを生成することを特徴とする請求項３に記載の受信フレーム処理装置。
【請求項５】
前記待ち時間計測手段が、複数のタイマーにより構成されることを特徴とする請求項１ないし請求項４のいずれかに記載の受信フレーム処理装置。
【請求項６】
前記受信フレーム許容遅延時間判定手段が、フレームのヘッダ情報を用いて許容遅延時間を判定することを特徴とする請求項１ないし請求項５のいずれかに記載の受信フレーム処理装置。
【請求項７】
前記受信フレーム許容遅延時間判定手段が、フレームのヘッダの通信品質クラス情報を用いて許容遅延時間を判定することを特徴とする請求項６に受信フレーム処理装置。
【請求項８】
前記受信フレーム許容遅延時間判定手段が、フレームのヘッダのアドレス情報を用いて許容遅延時間を判定することを特徴とする請求項６に受信フレーム処理装置。
【請求項９】
前記受信フレーム許容遅延時間判定手段が、フレームのヘッダのポート番号情報を用いて許容遅延時間を判定することを特徴とする請求項６に記載の受信フレーム処理装置。
【請求項１０】
前記受信フレーム許容遅延時間判定手段が、フレームのヘッダのサービス識別情報を用いて許容遅延時間を判定することを特徴とする請求項６に記載の受信フレーム処理装置。
【請求項１１】
前記受信フレーム許容遅延時間判定手段が、フレームのヘッダ情報として、ＩＰｖ４パケットヘッダのＴｏＳ(Type of Service)またはＩＰｖ６パケットヘッダのTraffic Classを用いて許容遅延時間を判定することを特徴とする請求項６に記載の受信フレーム処理装置。
【請求項１２】
前記受信フレーム許容遅延時間判定手段が、フレームのヘッダ情報として、ＩＰｖ４またはＩＰｖ６パケットのＩＰアドレスを用いて許容遅延時間を判定することを特徴とする請求項６に記載の受信フレーム処理装置。
【請求項１３】
前記受信フレーム許容遅延時間判定手段が、フレームのヘッダ情報として、ＩＰｖ４またはＩＰｖ６パケットのポート番号を用いて許容遅延時間を判定することを特徴とする請求項６に記載の受信フレーム処理装置。
【請求項１４】
前記受信フレーム許容遅延時間判定手段が、フレームのヘッダ情報として、ＩＰｖ６パケットのフローラベルを用いて許容遅延時間を判定することを特徴とする請求項６に記載の受信フレーム処理装置。
【請求項１５】
前記受信フレーム許容遅延時間判定手段が、フレームのペイロード情報を用いて許容遅延時間を判定することを特徴とする請求項１ないし請求項１４のいずれかに記載の受信フレーム処理装置。
【請求項１６】
前記受信フレーム数または受信データ量の計測手段を備えることを特徴とする請求項１ないし請求項１５のいずれかに記載の受信フレーム処理装置。
【請求項１７】
前記受信フレーム数または受信データ量の閾値を設定し、待ち時間が許容遅延時間に到達するかまたは受信量が閾値を超過すると割込みを生成することを特徴とする請求項１６に記載の受信フレーム処理装置。
【請求項１８】
前記割込み生成手段に代えてステータス生成手段を備え、割込みを直接生成するのではなく、割込みのタイミングで変化するステータスを表示することを特徴とする請求項１ないし請求項１７のいずれかに記載の受信フレーム処理装置。
【請求項１９】
請求項１ないし請求項１８のいずれかに記載の受信フレーム処理装置を内蔵することを特徴とする通信処理装置。
【発明の詳細な説明】
【技術分野】
【０００１】
本発明は、ローカルエリアネットワークなどのネットワークインタフェースを通じてイーサネット（登録商標）などのフレームを受信処理する装置において、フレームを受信したことをプロセッサに対して割込みを用いて通知する受信フレーム処理装置に関するものである。
【背景技術】
【０００２】
この種の受信フレーム処理装置においては、プロセッサに対して割込みを用いてフレーム受信を通知すると、ソフトウェア(デバイスドライバ)が割込み処理を起動し、割込み起動時点までに動作中であったプロセスの状態を待避(コンテクストスイッチング)する。このため、オーバヘッドが発生し、プロセッサの負荷が増加することになる。割込み回数を減らすため、従来の受信フレーム処理装置は、受信フレーム数または受信データ量の閾値を設定し、フレーム受信量が閾値を超過すると割込みを出力し、１回の割込みで複数のフレームをまとめてプロセッサに対して出力するものがある。この場合、フレームの受信量が閾値に到達しないといつまでたっても割込みが上がらないので、プロセッサへのフレーム出力が長時間遅れることが無いように時間の閾値を設定し、受信フレームの待ち時間が時間閾値を超過すると割込みを上げるようにしている。また、受信フレームがリアルタイム応答に対する優先度が高いかどうかを識別し、リアルタイム応答に対する優先度が高いフレームが到着すると直ちに割込みを出力し、遅延ゼロでリアルタイムフレームをプロセッサに出力することができるようにしている（例えば、特許文献１参照）。
【０００３】
図８は特許文献１に記載された従来の受信フレーム処理装置におけるリアルタイム応答に対する優先度の高いフレームを処理する場合のフローチャートを示すものである。図８において、フレームを受信するとステップ１２１４においてリアルタイム応答に対する優先度の高いフレームであるかどうかを判定する。もし、リアルタイムフレームであれば、ステップ１２１５において直ちにプロセッサに対して割込みを通知する。もし、リアルタイムフレームでなければ、受信量が閾値を超過もしくはタイムアウトが発生すると割込みを出力していた。
【特許文献１】特開２００１-１４２４３号公報
【発明の開示】
【発明が解決しようとする課題】
【０００４】
しかしながら、上記従来の構成では、リアルタイム応答に対する優先度が高いフレームが高レートで到着する場合、１フレーム毎に割込みを出力するため、割込みの回数が増加し、プロセッサの処理負荷が増加するという課題を有していた。
【０００５】
本発明は、上記従来の課題を解決するもので、フレームの遅延品質を保証しつつ、割込み出力頻度を減らすようにした受信フレーム処理装置を提供することを目的とする。
【課題を解決するための手段】
【０００６】
上記従来の課題を解決するために、本発明の受信フレーム処理装置は、受信フレームの許容遅延時間を判定する受信フレーム許容遅延時間判定手段と、受信フレームの待ち時間を計測する待ち時間計測手段と、待ち時間が許容遅延時間に到達すると割込みを生成する割込み生成手段とを備えたものである。本構成によって、待ち時間が受信フレームの許容遅延時間を超えることなく割込みを生成することができ、プロセッサの処理負荷を低減することができる。
【０００７】
また、本発明の受信フレーム処理装置は、待ち時間計測手段が、複数の待ち時間を計測することを特徴とする。本構成によって、複数の待ち時間を同時に計測することができ、異なる許容遅延時間を持つ受信フレームの要求遅延品質を保証しつつ割込み生成回数を減らすことができる。
【０００８】
また、本発明の受信フレーム処理装置は、待ち時間計測手段が、複数の待ち時間を受信フレームの許容遅延時間と対応付けることを特徴とする。本構成によって、受信フレームの許容遅延時間に応じて待ち時間を計測することができ、異なる許容遅延時間を持つ受信フレームの要求遅延品質を保証しつつ割込み生成回数を減らすことができる。
【０００９】
また、本発明の受信フレーム処理装置は、割込み生成手段が、いずれかの待ち時間が許容遅延時間に到達すると割込みを生成することを特徴とする。本構成によって、各待ち時間が受信フレームの許容遅延時間を超えることなく割込みを生成することができ、異なる許容遅延時間を持つ受信フレームの要求遅延品質を保証しつつ割込み生成回数を減らすことができる。
【００１０】
また、本発明の受信フレーム処理装置は、待ち時間計測手段が、複数のタイマーにより構成されることを特徴とする。本構成によって、複数の待ち時間を並行して計測することができ、異なる許容遅延時間を持つ受信フレームの要求遅延品質を保証しつつ割込み生成回数を減らすことができる。
【００１１】
また、本発明の受信フレーム処理装置は、受信フレーム許容遅延時間判定手段が、フレームのヘッダ情報を用いて許容遅延時間を判定することを特徴とする。本構成によって、受信フレームのヘッダ情報より許容遅延時間を判定し、割込みを生成することができ、受信フレームの一部情報のみを参照することにより、短時間で許容遅延時間を判定することができる。
【００１２】
また、本発明の受信フレーム処理装置は、受信フレーム許容遅延時間判定手段が、フレームのヘッダの通信品質クラス情報を用いて許容遅延時間を判定することを特徴とする。本構成によって、受信フレームのヘッダの通信品質クラス情報を用いて許容遅延時間を判定し、割込みを生成することができ、受信フレームの一部情報のみを参照することにより、短時間で許容遅延時間を判定することができる。
【００１３】
また、本発明の受信フレーム処理装置は、受信フレーム許容遅延時間判定手段が、フレームのヘッダのアドレス情報を用いて許容遅延時間を判定することを特徴とする。本構成によって、受信フレームのヘッダのアドレス情報を用いて許容遅延時間を判定し、割込みを生成することができ、受信フレームの一部情報のみを参照することにより、短時間で許容遅延時間を判定することができる。
【００１４】
また、本発明の受信フレーム処理装置は、受信フレーム許容遅延時間判定手段が、フレームのヘッダのポート番号情報を用いて許容遅延時間を判定することを特徴とする。本構成によって、受信フレームのヘッダのポート番号情報を用いて許容遅延時間を判定し、割込みを生成することができ、受信フレームの一部情報のみを参照することにより、短時間で許容遅延時間を判定することができる。
【００１５】
また、本発明の受信フレーム処理装置は、受信フレーム許容遅延時間判定手段が、フレームのヘッダのサービス識別情報を用いて許容遅延時間を判定することを特徴とする。本構成によって、受信フレームのヘッダのサービス識別情報を用いて許容遅延時間を判定し、割込みを生成することができ、受信フレームの一部情報のみを参照することにより、短時間で許容遅延時間を判定することができる。
【００１６】
また、本発明の受信フレーム処理装置は、受信フレーム許容遅延時間判定手段が、フレームのヘッダ情報として、ＩＰｖ４パケットヘッダのＴｏＳ(Type of Service)またはＩＰｖ６パケットヘッダのTraffic Classを用いて許容遅延時間を判定することを特徴とする。本構成によって、ＩＰｖ４パケットヘッダのＴｏＳ(Type of Service)またはＩＰｖ６パケットヘッダのTraffic Classにより許容遅延時間を判定し、割込みを生成することができる。
【００１７】
また、本発明の受信フレーム処理装置は、受信フレーム許容遅延時間判定手段が、フレームのヘッダ情報として、ＩＰｖ４またはＩＰｖ６パケットのＩＰアドレスを用いて許容遅延時間を判定することを特徴とする。本構成によって、ＩＰｖ４またはＩＰｖ６パケットのＩＰアドレスにより許容遅延時間を判定し、割込みを生成することができる。
【００１８】
また、本発明の受信フレーム処理装置は、受信フレーム許容遅延時間判定手段が、フレームのヘッダ情報として、ＩＰｖ４またはＩＰｖ６パケットのポート番号を用いて許容遅延時間を判定することを特徴とする。本構成によって、ＩＰｖ４またはＩＰｖ６パケットのポート番号により許容遅延時間を判定し、割込みを生成することができる。
【００１９】
また、本発明の受信フレーム処理装置は、受信フレーム許容遅延時間判定手段が、フレームのヘッダ情報として、ＩＰｖ６パケットのフローラベルを用いて許容遅延時間を判定することを特徴とする。本構成によって、ＩＰｖ６パケットのフローラベルにより許容遅延時間を判定し、割込みを生成することができる。
【００２０】
また、本発明の受信フレーム処理装置は、受信フレーム許容遅延時間判定手段が、フレームのペイロード情報を用いて許容遅延時間を判定することを特徴とする。本構成によって、受信フレームのペイロード情報により許容遅延時間を判定し、割込みを生成することができ、受信フレームの一部情報のみを参照することにより、短時間で許容遅延時間を判定することができる。
【００２１】
また、本発明の受信フレーム処理装置は、受信フレーム数または受信データ量の計測手段を備えることを特徴とする。本構成によって、受信フレーム数または受信データ量を計測することができ、受信フレーム数または受信データ量がバッファサイズを超過する前に割り込みを生成することができる。
【００２２】
また、本発明の受信フレーム処理装置は、受信フレーム数または受信データ量の閾値を設定し、待ち時間が許容遅延時間に到達するかまたは受信量が閾値を超過すると割込みを生成することを特徴とする。本構成によって、受信フレーム数または受信データ量が設定した値を超過するまで割込みを待つことができる。
【００２３】
また、本発明の受信フレーム処理装置は、割込み生成手段に代えてステータス生成手段を備え、割込みを直接生成するのではなく、割込みのタイミングで変化するステータスを出力することを特徴とする。本構成によって、別の構成の通信装置に対しても適用することができる。
【００２４】
また、本発明は、上記のいずれかに記載の受信フレーム処理装置を内蔵することを特徴とする通信処理装置であり、フレームの遅延品質を保証しつつ、割込み出力頻度を減らすことができ、プロセッサの処理負荷を低減することができる。
【発明の効果】
【００２５】
本発明の受信フレーム処理装置によれば、受信フレームの許容遅延時間を判定する受信フレーム許容遅延時間判定手段と、受信フレームの待ち時間を計測する待ち時間計測手段と、待ち時間が許容遅延時間に到達すると割込みを生成する割込み生成手段とを備えたものであり、受信フレームの要求遅延品質を保証しつつ割込み生成回数を減らすことができ、プロセッサの処理負荷を低減することができる。
【発明を実施するための最良の形態】
【００２６】
以下、本発明の実施の形態について、図面を参照しながら説明する。
（実施の形態１）
本発明の実施の形態１は、請求項１〜１５を実施するものである。図１は、本発明の実施の形態１における受信フレーム処理装置を内蔵する通信処理装置の構成を示すブロック図である。図１において、ネットワークインタフェース１０１は、接続しているＬＡＮ等のネットワークよりフレームを受信する。受信フレーム格納部１０２は、受信したフレームを格納し、受信フレーム処理装置１０３は、受信フレームに関する情報に基づきプロセッサに対して割込みを生成する。プロセッサ１０４は、割込み処理により受信フレームを受信フレーム格納部１０２から読み出してメインメモリ１０５に転送する。
【００２７】
図２は、本発明の実施の形態１における受信フレーム処理装置１０３の構成を示すブロック図である。図２において、許容遅延時間判定部２０は、ヘッダ情報参照部２０１とテーブル２０２と判定部２０３からなり、受信フレームのヘッダ情報を参照し、ヘッダの通信品質クラス情報、アドレス情報、ポート情報、サービス識別情報等のヘッダ情報を用いて事前に登録されている許容遅延時間をテーブル２０２から検索し、受信フレームに対応する許容遅延時間を１つ判定する。待ち時間計測部２１は、テーブル２０２に登録された許容遅延時間と１対１に対応するｎ個のタイマー２１１〜タイマー２１ｎからなり、許容遅延時間別に割込み待ち時間を計測する。割込み生成部２２は、いずれかの待ち時間が許容遅延時間に到達すると割込みを生成する。
【００２８】
図３は、本発明の実施の形態１における受信フレーム処理装置１０３の処理を説明するためのフローチャートである。図３における各ステップの処理内容を説明する。
ステップ１：割込み待ち時間計測用のタイマー２１１〜タイマー２１ｎの計測値を“０”に初期化し、タイマーを停止状態とする。
ステップ２：受信フレームの有無を判定し、受信フレーム有りの場合はステップ３を実行し、受信フレーム無しの場合はステップ８を実行する。
ステップ３：受信フレームのヘッダ情報を参照し、許容遅延判定用のテーブル２０２を検索する。
ステップ４：テーブル２０２の検索結果から受信フレームの許容遅延時間を判定する。
ステップ５：判定された受信フレームの許容遅延時間から対応するタイマーを選択する。
ステップ６１〜６ｎ：選択されたタイマーが初期化後最初の受信フレームであるかを判定し、最初のフレームである場合、ステップ７１〜７ｎを実行する。
ステップ７１〜７ｎ： 選択されたタイマーの計測を開始する。
ステップ８：タイマー２１１〜タイマー２１ｎの計測値が、対応する許容遅延時間に到達しているかどうかを監視する。
ステップ９：ステップ８の結果、いずれかのタイマー計測値が許容遅延時間に到達しているかどうかを判定し、到達している場合はステップ１０を実行し、到達していない場合はステップ２を実行する。
ステップ１０：割込みを生成する。
【００２９】
図４は、受信フレームに対する割込み出力動作を説明するためのタイミング図である。図４において、受信フレーム１は、許容遅延時間をゼロに設定した場合であり、フレーム到着後すぐに割り込みを出力している。受信フレーム２では、１番目のフレーム到着時点より許容遅延時間を待ち、許容遅延時間を待つ間にｎ個のフレームが到着する場合を示しており、１〜ｎ番目の受信フレームで１回の割込みを出力している。これにより、フレーム到着毎に即時割込みを出力する従来の構成に比べて割込み回数を１／ｎに減らすことができている。受信フレーム３では、許容遅延時間が異なる複数種類のフレームに対して、それぞれ許容遅延時間まで待った上で割り込みを出力している。これにより、異なる各受信フレームの遅延品質を保証しつつ割込み回数を最小限に減らすことができる。
【００３０】
図５は、許容遅延時間判定部２０のテーブル２０２の設定内容を示す図である。図５において、参照するヘッダ情報として、ＩＰｖ６パケットヘッダのTraffic Classを用いた場合について示している。あらかじめ、Traffic Classの値と対応する許容遅延時間をテーブルに設定しておく。受信フレームのヘッダ情報のTraffic Classの値を参照し、対応する遅延時間を検索する。
【００３１】
このように、本実施形態１によれば、許容遅延時間判定部２０が、受信フレームに対応する許容遅延時間を判定し、待ち時間計測部２１が、許容遅延時間に対応するタイマー２１１〜タイマー２１ｎにより待ち時間を計測し、割込み生成部２２が、いずれかの待ち時間が許容遅延時間に到達すると割込みを生成することにより、受信フレームの遅延品質を保証しつつ割込み回数を最小限に減らすことができる。
【００３２】
なお、本実施の形態１において、あらかじめテーブル２０２に設定する許容遅延時間を固定設定としているが、運用中の状況に応じて変更するようにしても良い。また、許容遅延時間を設定変更する方法として、プロセッサから設定値を与えられてもよい。また、受信フレームの参照するヘッダ情報として、ＩＰｖ６パケットヘッダのTraffic Classの場合について示したが、ＩＰｖ４パケットヘッダのＴｏＳ(Type of Service)、 ＩＰｖ４およびＩＰｖ６パケットのＩＰアドレス、ＩＰｖ４およびＩＰｖ６パケットのポート番号、ＩＰｖ６パケットのフローラベル、フレームのペイロード情報を用いても良い。また、受信フレームの参照する情報として、ヘッダ情報以外のペイロード情報を用いても良い。
（実施の形態２）
本発明の実施の形態２は、請求項１６、１７を実施するものである。図６は、本発明の実施の形態２の受信フレーム処理装置１０３Ａの構成を示すブロック図である。図６において、図２と同じ構成要素については同じ符号を用いて重複した説明を省略する。図６において、受信量計測部６１は、受信フレーム格納部１０２における受信フレーム数または受信データ量を計測する。割込み生成部６２は、受信フレーム数または受信データ量の閾値を設定し、待ち時間が許容遅延時間に到達するかまたは受信量が閾値を超過すると割込みを生成する。
【００３３】
図７は、本発明の実施の形態２における受信フレーム処理装置１０３Ａの処理を説明するためのフローチャートである。
ステップ１１：割込み待ち時間計測用のタイマー２１１〜タイマー２１ｎの計測値および受信量計測値を“０”に初期化し、タイマーを停止状態とする。また、フレーム受信量の閾値を設定する。
ステップ１２：受信フレームの有無を判定し、受信フレーム有りの場合はステップ１３を実行し、受信フレーム無しの場合はステップ１９を実行する。
ステップ１３：受信したフレームの量を計測する。
ステップ１４：受信フレームのヘッダ情報を参照し、許容遅延判定用のテーブル２０２を検索する。
ステップ１５：テーブル２０２の検索結果から受信フレームの許容遅延時間を判定する。
ステップ１６：判定された受信フレームの許容遅延時間から対応するタイマーを選択する。
ステップ７１〜７１ｎ：選択されたタイマーが初期化後最初の受信フレームであるかを判定し、最初のフレームである場合、ステップ８１〜８１ｎを実行する。
ステップ８１〜８１ｎ： 選択されたタイマーの計測を開始する。
ステップ１９：タイマー２１１〜タイマー２１ｎの計測値が、対応する許容遅延時間に到達しているかどうかを監視する。
ステップ２０：ステップ１９の結果、いずれかのタイマー計測値が許容遅延時間に到達しているかどうかを判定し、到達している場合はステップ２３を実行し、到達していない場合はステップ２１を実行する。
ステップ２１：受信フレームの量が閾値に到達しているかどうかを監視する。
ステップ２２：ステップ２１の結果、受信フレームの量が閾値に到達しているかどうかを判定し、到達している場合はステップ２３を実行し、到達していない場合はステップ２２を実行する。
ステップ２３：割込みを生成する。
【００３４】
このように、本実施の形態２によれば、許容遅延時間判定部２０が、受信フレームに対応する許容遅延時間を判定し、待ち時間計測部２１が、許容遅延時間に対応するタイマー２１１〜タイマー２１ｎにより待ち時間を計測し、受信量計測部６１が、受信フレームの量を計測し、割込み生成部６２が、いずれかの待ち時間が許容遅延時間に到達するかまたは受信量が閾値を超過すると割込みを生成することにより、受信フレームの遅延品質を保証しつつ割込み回数を最小限に減らすことができる。
【００３５】
なお、上記実施の形態１および２における割込み生成部２２、６２に代えて、ステータス生成手段を備え、割込みを直接生成するのではなく、割込みのタイミングで変化するステータスを出力するようにしてもよい。
【産業上の利用可能性】
【００３６】
以上のように、本発明に係る受信フレーム処理装置は、受信フレームの要求遅延品質を保証しつつ割込み生成回数を減らすことができ、プロセッサの処理負荷を低減することができるという効果を有し、フレームを受信したことをプロセッサに対して割込みを用いて通知する受信フレーム処理装置および通信処理装置等として有用である。
【図面の簡単な説明】
【００３７】
【図１】本発明の実施の形態１における受信フレーム処理装置を内蔵した通信処理装置の構成を示すブロック図
【図２】実施の形態１における受信フレーム処理装置の構成を示すブロック図
【図３】実施の形態１における受信フレーム処理装置の動作を説明するためのフロー図
【図４】実施の形態１における受信フレーム処理装置の動作タイミングを説明するための模式図
【図５】実施の形態１における受信フレーム処理装置のテーブル構成を示す模式図
【図６】本発明の実施の形態２における受信フレーム処理装置を内蔵した通信処理装置の構成を示すブロック図
【図７】実施の形態２における受信フレーム処理装置の動作を説明するためのフロー図
【図８】従来の受信フレーム処理装置の動さを示すフロー図
【符号の説明】
【００３８】
１０１  ネットワークインタフェース
１０２  受信フレーム格納部
１０３、１０３Ａ  受信フレーム処理装置
１０４  プロセッサ
１０５  メインメモリ
２０  許容遅延時間判定部
２０１  ヘッダ情報参照部
２０２  テーブル
２０３  判定部
２１  待ち時間計測部
２１１〜２１ｎ  タイマー
２２  割込み生成部
６１  受信量計測部
６２  割込み生成部
【図１】
2005322032.tif 000003
【図２】
2005322032.tif 000004
【図３】
2005322032.tif 000005
【図４】
2005322032.tif 000006
【図５】
2005322032.tif 000007
【図６】
2005322032.tif 000008
【図７】
2005322032.tif 000009
【図８】
2005322032.tif 000010